(57)【特許請求の範囲】
【請求項１】
ＩＣチップと当該ＩＣチップに接続したアンテナとが設けられたＲＦＩＤラベルが台紙に貼付されたロール状のラベル用紙を保持する保持部と、
前記保持された前記ラベル用紙を引き出して所定の用紙経路上を搬送し前記ＲＦＩＤラベルに印字を行う印字搬送部と、
前記用紙経路に配置されて前記ＲＦＩＤラベルに対して情報の書き込みを行うＲＦＩＤリーダライタと、
前記保持された前記ラベル用紙の外周にある前記ＲＦＩＤラベルに設けられた前記アンテナと重なる位置で当該ラベル用紙の外周面に対して湾曲して接触する導電性の金属を含む長尺状の柔軟部材と、
を備えるプリンタ。
【請求項２】
前記柔軟部材は、前記保持された前記ラベル用紙が前記印字搬送部によって引き出される際に回転する方向の上流側の端部が位置固定されて下流側の端部を自由端としている、請求項１記載のプリンタ。
【請求項３】
前記柔軟部材は、前記自由端に重しを有する、請求項２記載のプリンタ。
【請求項４】
前記柔軟部材は、金属繊維が編み込まれた布である、請求項１ないし３いずれか一記載のプリンタ。
【請求項５】
前記柔軟部材は、金属ワイヤーである、請求項１ないし３いずれか一記載のプリンタ。
【発明の詳細な説明】
【技術分野】
【０００１】
本発明は、ロール状のラベル用紙を引き出し搬送してＲＦＩＤラベルに印字すると共にＲＦＩＤラベルに対して情報の書き込みを行うプリンタに関する。
【背景技術】
【０００２】
従来、ＲＦＩＤ（Ｒａｄｉｏ  Ｆｒｅｑｕｅｎｃｙ  ＩＤｅｎｔｉｆｉｃａｔｉｏｎ）の技術を利用した商品管理等に使用されるＲＦＩＤラベルがある。ＲＦＩＤラベルは、その表面にバーコード等の各種情報の印字が可能となっており、また、アンテナとＩＣチップとが埋設されて各種情報の書き込み又は読み出しが可能となっている。
【０００３】
また、このようなＲＦＩＤラベルが長尺状の台紙に貼付されたロール状のラベル用紙を引き出し搬送してＲＦＩＤラベルに印字すると共に、ＲＦＩＤリーダライタを内蔵してＲＦＩＤラベルと無線通信を実行して情報の書き込みを行うようにしたプリンタがある。
【０００４】
ところが、上述したようなプリンタでは、ＲＦＩＤリーダライタが搬送中のＲＦＩＤラベルに対してではなく、ロール状のラベル用紙の外周にあるＲＦＩＤラベルに対して誤って書き込みをしてしまうことがある。
【０００５】
そこで、このような誤書き込みを防止するため、例えば特許文献１に開示されたプリンタは、プリンタ内部にシールド板を設けてＲＦＩＤリーダライタからの電波等が非受信となる領域を形成し、この領域内にロール状のラベル用紙を収納保持させている。
【０００６】
【特許文献１】特開２００５−３３５７３７公報
【発明の開示】
【発明が解決しようとする課題】
【０００７】
しかし、シールド板を用いた場合であっても、わずかな隙間からＲＦＩＤリーダライタが誤書き込みをしてしまう可能性がある。特に、今後普及が予想されるＵＨＦ帯の周波数が無線通信に使用されるＲＦＩＤでは、電波がプリンタ内部で反射してロール状のラベル用紙に電波が到達し易い。
【０００８】
本発明の目的は、ロール状のラベル用紙の外周にあるＲＦＩＤラベルに対しての誤書き込みを防止することである。
【課題を解決するための手段】
【０００９】
本発明のプリンタは、ＩＣチップと当該ＩＣチップに接続したアンテナとが設けられたＲＦＩＤラベルが台紙に貼付されたロール状のラベル用紙を保持する保持部と、前記保持された前記ラベル用紙を引き出して所定の用紙経路上を搬送し前記ＲＦＩＤラベルに印字を行う印字搬送部と、前記用紙経路に配置されて前記ＲＦＩＤラベルに対して情報の書き込みを行うＲＦＩＤリーダライタと、前記保持された前記ラベル用紙の外周にある前記ＲＦＩＤラベルに設けられた前記アンテナと重なる位置で当該ラベル用紙の外周面に対して湾曲して接触する導電性の金属を含む長尺状の柔軟部材と、を備える。
【発明の効果】
【００１０】
本発明によれば、柔軟部材に含まれた金属がロール状のラベル用紙外周のアンテナと近接することで、このアンテナは特性が変化するため、ラベル用紙の外周にあるＲＦＩＤラベルはＲＦＩＤリーダライタとの無線通信ができなくなり、このＲＦＩＤラベルに対する誤書き込みが防止される。
【発明を実施するための最良の形態】
【００１１】
本発明の実施の一形態を図面に基づいて説明する。
【００１２】
図１は、プリンタ１を示す縦断側面図である。プリンタ１はプリンタ本体部１０１を有しており、プリンタ本体部１０１には、保持部としてのラベル用紙保持軸１０２の一端とインクリボン保持軸１０３の一端とが固定されている。ラベル用紙保持軸１０２はロール状に巻回されたラベル用紙２０１を回転自在に保持し、インクリボン保持軸１０３はロール状に巻回されたインクリボン１０５を保持する。
【００１３】
ラベル用紙２０１は、長尺状の台紙２０２に一定間隔でＲＦＩＤラベル２０３が貼付されたものであり、各ＲＦＩＤラベル２０３には、ＩＣチップ２０６（図４参照）とＩＣチップ２０６に接続したアンテナ２０５（図４参照）とが埋設されている。
【００１４】
ここで、プリンタ１は、導電性の金属を含む長尺状の柔軟部材３０１を有しており、この柔軟部材３０１がロール状のラベル用紙２０１の外周面に対して湾曲して接触している。このような柔軟部材３０１は、例えば、金属として銅繊維が全体的に編み込まれた布である。プリンタ本体部１０１には、ラベル用紙保持軸１０２の前面下方に位置させて固定軸３０２の一端が固定されており、柔軟部材３０１は、この固定軸３０２に一方の端部が巻き付けられて位置固定されて、他方の端部は自由端となっている。
【００１５】
さらに、プリンタ１は、ラベル用紙保持軸１０２に保持されたロール状のラベル用紙２０１を引き出して搬送してＲＦＩＤラベル２０３に印字を行う印字搬送部１４１を備えている。印字搬送部１４１は、搬送ローラ１０６、ピンチローラ１１０、プラテン１０７及びサーマルヘッド１１５等によって構成されている。つまり、プリンタ本体部１０１には、モータ（図示せず）に連結されて回転駆動される搬送ローラ１０６、プラテン１０７、リワインダ１０８、リボン巻取軸１０９の一端が回転自在に保持され、搬送ローラ１０６の外周面にはピンチローラ１１０が所定の圧力で当接されている。さらに、プリンタ本体部１０１には、プラテン１０７に近接した位置に、プラテン１０７側の下端が開口されたケーシング１１２と、プラテン１０７の外周面と当接するサーマルヘッド１１５とにより構成されたヘッドブロック１１１が固定されている。
【００１６】
ラベル用紙保持軸１０２に保持されたラベル用紙２０１は、ロール状態から引き出された後に搬送ローラ１０６とピンチローラ１１０との間を通され、さらに、プラテン１０７とサーマルヘッド１１５との間を通される。つまり、プリンタ１にはこのような経路でラベル用紙２０１が搬送される用紙経路１５１が形成される。そして、プラテン１０７とサーマルヘッド１１５との間を通過したラベル用紙２０１のうち、台紙２０２はラベル剥離体１１６で屈曲された後にリワインダ１０８に巻き取られ、ＲＦＩＤラベル２０３は台紙２０２から剥離されて直進する。一方、インクリボン保持軸１０３にロール状態で保持されたインクリボン１０５は、ロール状態から引き出された後にプラテン１０７とサーマルヘッド１１５との間を通され、リボン巻取軸１０９に巻き取られる。
【００１７】
搬送ローラ１０６とプラテン１０７とが回転駆動されることによりラベル用紙２０１が所定速度で引き出されて用紙経路１５１上を搬送される。この搬送過程で、サーマルヘッド１１５によりＲＦＩＤラベル２０３に対して所定の情報が印字される。また、このとき、リボン巻取軸１０９が回転駆動されることによりインクリボン１０５がラベル用紙２０１と等しい速度で搬送される。なお、搬送ローラ１０６とプラテン１０７との間にはラベル用紙２０１の搬送量を検出するフィードセンサ１１７が設けられており、このフィードセンサ１１７の検出結果に基づいてラベル用紙２０１やインクリボン１０５の搬送量を制御することにより、ＲＦＩＤラベル２０３上の正しい位置へ印字を行っている。
【００１８】
そして、プリンタ１はさらにＲＦＩＤリーダライタ１２１が設けられている。ＲＦＩＤリーダライタ１２１は、搬送ローラ１０６とリワインダ１０８との間であって用紙経路１５１の一面側である下面側に位置させてプリンタ本体部１０１に固定されている。ＲＦＩＤリーダライタ１２１は、ラベル用紙２０１の搬送過程でこのＲＦＩＤリーダライタ１２１の上面の位置に位置付けられたＲＦＩＤラベル２０３との間で無線通信を実行することで所定の情報の書き込みを行う。
【００１９】
図２はＲＦＩＤリーダライタ１２１を示す縦断側面図であり、図３はＲＦＩＤリーダライタ１２１の内部構造の一部を拡大して示す斜視図である。ＲＦＩＤリーダライタ１２１は、ＩＣチップ２０６に対して情報の読み書きを行うためのリーダライタアンテナ１３１を備えている。リーダライタアンテナ１３１は、アンテナ固定板１３２に両端部を挟持されて固定されている。アンテナ移動ネジ１３３にはネジが切ってあり、ＲＦＩＤリーダライタ１２１のフレーム１３５の下側から先端部が挿入され、移動ネジ抜け止め１３３ａで抜け止めされてアンテナ固定板１３２を通り、アンテナパネル１３４に設けられたアンテナパネルボス１３４ａで受けられている。なお、アンテナ移動ネジ１３３は図面ではひとつだけ図示しているが、実際は一対のアンテナ移動ネジ１３３が設けられている。そして、このようなＲＦＩＤリーダライタ１２１では、アンテナ移動ネジ１３３を回動することにより、ネジ作用によりアンテナ固定板１３２が上下に位置を変え、リーダライタアンテナ１３１の位置が変わる。
【００２０】
図４は、ラベル用紙２０１の外周面に対して湾曲して接触する柔軟部材３０１を示す斜視図である。なお、ＲＦＩＤリーダライタ１２１についても図４中に示す。
【００２１】
ラベル用紙２０１は、前述したように、台紙２０２上にＲＦＩＤラベル２０３が一定間隔で貼付されており、また、各ＲＦＩＤラベル２０３には、ＩＣチップ２０６とこのＩＣチップ２０６に接続したアンテナ２０５とが埋設されている。ＲＦＩＤラベル２０３は、自ら電池を内蔵しないパッシブ型である。そこで、本実施の形態では、ＲＦＩＤラベル２０３は、一例として１３．５６ＭＨｚの周波数帯を利用する電磁誘導方式によりパワーが供給される。つまり、ＲＦＩＤラベル２０３は、埋設されたアンテナ２０５がリーダライタアンテナ１３１からの磁界を受信して電力が発生しＩＣチップ２０６が起動する。なお、ＵＨＦ帯等を利用する電波方式である場合には電波を受信して電力が発生してＩＣチップ２０６が起動することになる。そして、ＩＣチップ２０６が起動したＲＦＩＤラベル２０３は、ＲＦＩＤリーダライタ１２１との間で無線通信が可能となる。
【００２２】
柔軟部材３０１は、柔軟性を有するため、ロール状態のラベル用紙２０１に上方からかけられるだけで、その自重によってラベル用紙２０１の外周面に沿って湾曲し、図４に示すように、ラベル用紙２０１の外周面と接触した状態となる。
【００２３】
そして、柔軟部材３０１で重要なことは、柔軟部材３０１がロール状のラベル用紙２０１の外周にあるＲＦＩＤラベル２０３に設けられたアンテナ２０５と重なる位置でこのラベル用紙２０１の外周面に対して接触していることである。これにより、ラベル用紙２０１外周にあるＲＦＩＤラベル２０３に埋設されているアンテナ２０５と柔軟部材３０１に含まれる金属とが近接した状態になる。すると、ＲＦＩＤリーダライタ１２１との間で無線通信可能なようにアンテナ特性が設計されたアンテナ２０５は、金属が近接した状態ではそのアンテナ特性が変化してしまう。つまり、ＲＦＩＤラベル２０３はＲＦＩＤリーダライタ１２１と無線通信ができなくなる。したがって、ロール状のラベル用紙２０１の外周にあるＲＦＩＤラベル２０３にＲＦＩＤリーダライタ１２１からの磁界等が到達したとしても、このＲＦＩＤラベル２０３に対する誤書き込みは防止されることになる。
【００２４】
なお、柔軟部材３０１は、図４に示すようにラベル用紙２０１の紙幅よりも幅広でなくてもよく、アンテナ２０５と重なる位置で接触できれば、ラベル用紙２０１の紙幅よりも狭い幅であってもよい。
【００２５】
また、柔軟部材３０１は、図１で説明したように一端が固定軸３０２に巻き付けられて他端を自由端としている。つまり、柔軟部材３０１は、ラベル用紙２０１が引き出される際に回転する方向の上流側の端部が位置固定されて下流側の端部を自由端としていることになる。これにより、柔軟部材３０１は、ラベル用紙２０１の回転に際しても引きずられて位置移動したり脱落したりすることもなく、また、ラベル用紙２０１が消費されてロール径が小さくなった場合であっても、常にラベル用紙２０１の外周面と接触した状態が維持される。
【００２６】
なお、柔軟部材３０１は、自由端に所定の重量を持つ重し（図示せず）を有していてもよい。これにより、柔軟部材３０１は、自由端が浮き上がることなく、ラベル用紙２０１の外周面との接触状態をより良好にすることができる。
【００２７】
図５は、ラベル用紙２０１の外周面に対して湾曲して接触する柔軟部材３０１の別の一例を示す斜視図である。なお、図４で説明した部分と同じ部分は同じ符号で示し、説明も省略する。図５に例示する柔軟部材３０１は、金属ワイヤーである。つまり、柔軟部材３０１は、図４で示したようなラベル用紙２０１外周面全域を覆うシート形態でなくてもよく、ラベル用紙２０１外周のアンテナ２０５に近接してこのアンテナ２０５のアンテナ特性を変化させることができれば、ラベル用紙２０１外周面全域を覆わない図５に例示する金属ワイヤーのような形態であってもよい。
【００２８】
一端が固定軸３０２に巻き付けられて固定された柔軟部材３０１である金属ワイヤーは、自由端に所定の重量の重し（図示せず）を有している。そして、柔軟部材３０１である金属ワイヤーは、ロール状のラベル用紙２０１の外周面にアンテナ２０５と重なる位置で接触することで、このアンテナ２０５の特性が変化して、外周にあるＲＦＩＤラベル２０３はＲＦＩＤリーダライタ１２１との無線通信ができなくなり、このＲＦＩＤラベル２０３に対する誤書き込みは防止される。
【００２９】
なお、図５では、柔軟部材３０１である金属ワイヤーを３本である例を示しているが、ＲＦＩＤラベル２０３に対する誤書き込みが防止することができれば３本に限られることはない。
【図面の簡単な説明】
【００３０】
【図１】プリンタを示す縦断側面図である。
【図２】ＲＦＩＤリーダライタを示す縦断側面図である。
【図３】ＲＦＩＤリーダライタの内部構造の一部を拡大して示す斜視図である。
【図４】ラベル用紙の外周面に対して湾曲して接触する柔軟部材を示す斜視図である。
【図５】ラベル用紙の外周面に対して湾曲して接触する柔軟部材の別の一例を示す斜視図である。
【符号の説明】
【００３１】
１…プリンタ，１０２…ラベル用紙保持軸（保持部），１２１…ＲＦＩＤリーダライタ，１４１…印字搬送部，１５１…用紙経路，２０１…ラベル用紙，２０２…台紙，２０３…ＲＦＩＤラベル，２０５…アンテナ，２０６…ＩＣチップ，３０１…柔軟部材
【図１】
0004754398.tif 000002
【図２】
0004754398.tif 000003
【図３】
0004754398.tif 000004
【図４】
0004754398.tif 000005
【図５】
0004754398.tif 000006